(57)【特許請求の範囲】
【請求項１】
固定接点が配設された接点台に押釦を第１ポジションからイネーブル位置である第２ポジションを経て第３ポジションに押込可能に組み込んでなるイネーブルスイッチにおいて、
押釦の内部における押釦の押込方向側に臨ませた通常位置とその通常位置から押釦の押込方向と反対側に所定距離押し上げた非常位置との間で往復動可能に押釦に組み込まれる往復可動台と、往復可動台を非常位置へと移動させる移動機構と、往復可動台に配設される可動接点と、押釦が第２ポジションから第３ポジションへと押し込まれる際に往復可動台を通常位置から非常位置に向けて押し上げ可能に接点台に設けられる突起物とを備え、
移動機構は、往復可動台の往復経路に沿う押釦の内面に当接可能に往復可動台に形成された貫通孔内に組み込まれた２個のスチールボールからなる当接部材と、該２個のスチールボールからなる当接部材の間に配置され、当該当接部材を押釦の内面に押し付けるように付勢する圧縮コイルばねからなるばね部材と、往復可動台が通常位置から非常位置に向けて押し上げられる際に当接部材が乗り越えるように押釦の内面に、２個のスチールボールからなる当接部材がそれぞれ当接するように突設される山部とを備えてなり、当接部材が山部を乗り越える際にばね部材に蓄勢力が蓄えられるようにし、当接部材が山部を乗り越えると、ばね部材に蓄えられた蓄勢力を当接部材を介して山部の断面が直線状をなす斜面に作用させて往復可動台を非常位置へと跳ね上げるようにしてなり、
押釦を第１ポジションから第２ポジションへと押し込むと、通常位置にある往復可動台に配設された可動接点が接点台の固定接点に接触して通電するようにし、押釦を第２ポジションから第３ポジションへと更に押し込むと、接点台に設けられた突起物によって往復可動台が通常位置から非常位置に向けて押し上げられるに伴い移動機構の作動で往復可動台が非常位置へと移動されることにより、固定接点に接触していた可動接点が離れて通電状態を解除するようにしたことを特徴とするイネーブルスイッチ。
【発明の詳細な説明】
【技術分野】
【０００１】
本発明は、例えば、クレーンやホイストのペンダントスイッチや各種装置、ロボット、工作機械等のリモートコントロールボックス等に使用されて好適なイネーブルスイッチに関し、特に、オフ−オン−オフの３ポジション動作が可能なイネーブルスイッチに関するものである。
【背景技術】
【０００２】
例えば、クレーンやホイストを動作させる場合、作業者はペンダントスイッチを操作しながら積荷に近づいた状態で作業を行うことが一般的である。
イネーブルスイッチは、スイッチがオンしているときのみクレーンやホイストの動作が可能であり、クレーンやホイストの異常な動作に対して、スイッチをオフにするとクレーンやホイストの動作が止まるというもので、安全作業の一つの手段となっている。
【０００３】
従来のイネーブルスイッチとしては、押している間はオン、手を離すとオフとなる押釦スイッチが用いられており、作業中に瞬間的に指を離したり、ペンダントスイッチを手放したりしてしまえば、クレーンやホイストは停止するという機能を持っていた。
【０００４】
しかし、クレーンやホイストの異常な動作に対して作業者が逆に押釦を更に押し込んでしまう場合がある。
そこで、手を離しても停止し、また逆に押し込んでも停止するという３ポジションのイネーブルスイッチが提案されている（例えば、特許文献１参照。）。
なお、当該スイッチの機能に関しては、日本工業規格（ＪＩＳ  Ｃ８２０１−５−８：２００９）として規定され、更に厚生労働省の「機械の包括的な安全基準に関する指針」にも使用が推奨されている。
【先行技術文献】
【特許文献】
【０００５】
【特許文献１】特開２００６−２４４８５３号公報
【０００６】
上記特許文献１に係るイネーブルスイッチは、固定接点が配設された接点台に押釦を第１ポジションからイネーブル位置である第２ポジションを経て第３ポジションに押込可能に組み込んでなるものであって、押釦の下部に揺動可能に枢着され、接点用ばねに抗して可動接点を固定接点側から離れた状態に支持するとともに、押釦と共に下降して可動接点を固定接点に接触させる揺動レバーと、押釦が接点閉じ位置（第２ポジション）を越えて押し込まれた際に、揺動レバーの下部に当接して該揺動レバーを押し上げる突起部とを備え、押釦を離した状態（第１ポジション）では揺動レバーが可動接点を支持することによりオフとなり、押釦を１段押し込んだ状態（第２ポジション）では揺動レバーが固定接点の位置まで下がることによりオンとなり、押釦を２段押し込んだ状態（第３ポジション）では突起部が揺動レバーを押し上げることにより、該揺動レバーが可動接点を固定接点から引き離してオフとすることができるようになっている。
【０００７】
この特許文献１に係るイネーブルスイッチによっても、所期の目的を達成することができるが、押釦をイネーブル位置から更に押し込んだ瞬間に、より速やかに通電状態を解除することができる３ポジションのイネーブルスイッチが望まれるようになっている。
【発明の概要】
【発明が解決しようとする課題】
【０００８】
本発明は、上記のような事情に鑑み、押釦をイネーブル位置から更に押し込んだ瞬間に、より速やかに通電状態を解除することができる３ポジションのイネーブルスイッチを提供することを目的とする。
【課題を解決するための手段】
【０００９】
上記目的を達成するため、本発明のイネーブルスイッチは、固定接点が配設された接点台に押釦を第１ポジションからイネーブル位置である第２ポジションを経て第３ポジションに押込可能に組み込んでなるイネーブルスイッチにおいて、
押釦の内部における押釦の押込方向側に臨ませた通常位置とその通常位置から押釦の押込方向と反対側に所定距離押し上げた非常位置との間で往復動可能に押釦に組み込まれる往復可動台と、往復可動台を非常位置へと移動させる移動機構と、往復可動台に配設される可動接点と、押釦が第２ポジションから第３ポジションへと押し込まれる際に往復可動台を通常位置から非常位置に向けて押し上げ可能に接点台に設けられる突起物とを備え、
移動機構は、往復可動台の往復経路に沿う押釦の内面に当接可能に往復可動台に形成された貫通孔内に組み込まれた２個のスチールボールからなる当接部材と、該２個のスチールボールからなる当接部材の間に配置され、当該当接部材を押釦の内面に押し付けるように付勢する圧縮コイルばねからなるばね部材と、往復可動台が通常位置から非常位置に向けて押し上げられる際に当接部材が乗り越えるように押釦の内面に、２個のスチールボールからなる当接部材がそれぞれ当接するように突設される山部とを備えてなり、当接部材が山部を乗り越える際にばね部材に蓄勢力が蓄えられるようにし、当接部材が山部を乗り越えると、ばね部材に蓄えられた蓄勢力を当接部材を介して山部の断面が直線状をなす斜面に作用させて往復可動台を非常位置へと跳ね上げるようにしてなり、
押釦を第１ポジションから第２ポジションへと押し込むと、通常位置にある往復可動台に配設された可動接点が接点台の固定接点に接触して通電するようにし、押釦を第２ポジションから第３ポジションへと更に押し込むと、接点台に設けられた突起物によって往復可動台が通常位置から非常位置に向けて押し上げられるに伴い移動機構の作動で往復可動台が非常位置へと移動されることにより、固定接点に接触していた可動接点が離れて通電状態を解除するようにしたことを特徴とする。
【発明の効果】
【００１０】
本発明のイネーブルスイッチによれば、押釦をイネーブル位置である第２ポジションから第３ポジションへと押し込むと、接点台に設けられた突起物によって往復可動台が通常位置から非常位置に向けて押し上げられるに伴い移動機構の作動で往復可動台が非常位置へと移動されて可動接点が固定接点から瞬時に引き離されるので、押釦をイネーブル位置から更に押し込んだ瞬間に、より速やかに通電状態を解除することができる。
【００１１】
この移動機構は、往復可動台の往復経路に沿う押釦の内面に当接可能に往復可動台に組み込まれる当接部材と、当接部材を押釦の内面に押し付けるように付勢するばね部材と、往復可動台が通常位置から非常位置に向けて押し上げられる際に当接部材が乗り越えるように押釦の内面に突設される山部とを備えてなり、当接部材が山部を乗り越える際にばね部材に蓄勢力が蓄えられるようにし、当接部材が山部を乗り越えると、ばね部材に蓄えられた蓄勢力を当接部材を介して山部の斜面に作用させて往復可動台を非常位置へと跳ね上げるようにすることにより、簡単な構造で往復可動台を非常位置へと移動させることができる。
【図面の簡単な説明】
【００１２】
【図１】本発明の一実施形態に係るイネーブルスイッチを示す外形図で、（ａ）は正面図、（ｂ）は右側面図、（ｃ）は平面図、（ｄ）は底面図である。
【図２】図１（ａ）のＡ−Ａ線断面図である。
【図３】同イネーブルスイッチの分解斜視図である。
【図４】押釦の押し込み操作時の動作説明図で、（ａ）〜（ｃ）は図１（ａ）のＡ−Ａ線断面図であり、（ｄ）〜（ｆ）は図１（ｂ）のＢ−Ｂ線断面図であり、（ａ）及び（ｄ）は押釦が第１ポジションにある場合、（ｂ）及び（ｅ）は押釦が第２ポジションにある場合、（ｃ）及び（ｆ）は押釦が第３ポジションにある場合である。
【図５】押釦の復帰時の動作説明図で、（ａ）〜（ｃ）は図１（ａ）のＡ−Ａ線断面図であり、（ｄ）〜（ｆ）は図１（ｂ）のＢ−Ｂ線断面図であり、（ａ）及び（ｄ）は押釦の第３ポジションから第２ポジションへの復帰過程を示す図、（ｂ）及び（ｅ）は押釦の第２ポジションから第１ポジションへの復帰過程を示す図、（ｃ）及び（ｆ）は押釦の第１ポジションへの復帰後を示す図である。
【図６】（ａ）〜（ｃ）は図１（ｂ）のＣ−Ｃ線断面図でクリック機構の動作説明図であり、（ｄ）〜（ｆ）は図１（ｂ）のＤ−Ｄ線断面図で補助接点動作説明図であり、（ａ）及び（ｄ）は押釦が第１ポジションにある場合、（ｂ）及び（ｅ）は押釦が第２ポジションにある場合、（ｃ）及び（ｆ）は押釦が第３ポジションにある場合である。
【図７】同イネーブルスイッチをペンダントスイッチに組み込む一例を示す分解斜視図である。
【図８】同イネーブルスイッチをペンダントスイッチに組み込む他の例を示す分解斜視図である。
【発明を実施するための形態】
【００１３】
次に、本発明のイネーブルスイッチの実施の形態を、図面に基づいて説明する。
【００１４】
＜イネーブルスイッチの概略説明＞
図１（ａ）〜（ｄ）に示されるイネーブルスイッチ１は、例えば、クレーンやホイスト等に装備されるペンダントスイッチに組み込まれて使用されるものであって、接点台２と押釦３とを備え、オフ−オン−オフの３ポジション動作が可能とされている。
【００１５】
＜接点台の説明＞
図３に示されるように、接点台２は、箱形構造を呈しており、中央には、押釦３を上下に往復摺動可能に収容する押釦収容部４が形成され、上部には、左右に張り出すように左右の取付用フランジ５が形成され、左右両側部には、取付用フランジ５の下方で左右に張り出すように左右一対の接点金具取付部６が形成されるとともに、該接点金具取付部６の後側に位置するように同様の左右一対の接点金具取付部６´が形成されている。
【００１６】
図１（ｂ）に示されるように、接点台２において、左右の取付用フランジ５と前側の左右一対の接点金具取付部６との間の部位には、左右に貫通する第１貫通孔７が形成され、同様に、左右の取付用フランジ５と後側の左右一対の接点金具取付部６´との間の部位には、左右に貫通する第２貫通孔８が形成されている。
また、後側の左右一対の接点金具取付部６´と対向する左右の取付用フランジ５の下面には、取付用フランジ５と一体化した所定肉厚のストッパ部９が形成されている。
【００１７】
＜固定接点の説明＞
図３に示されるように、前側の左右一対の接点金具取付部６には、補助接点用の固定接点台金１１が端子ねじ１３によって締結固定され、後側の左右一対の接点金具取付部６´には、主接点用の固定接点台金１２が同様に端子ねじ１３によって締結固定されている。
補助接点用の固定接点台金１１には、導電性に優れる金属製の接点リベットよりなる補助接点用の固定接点１４がかしめられて固定され、主接点用の固定接点台金１２には、同様にして主接点用の固定接点１５が固定されている。
なお、本例においては、接点台２の右側で前後に並んで配置される２つの固定接点台金１１，１２が短絡板１６によって通電可能状態に接続されている。
【００１８】
＜押釦の説明＞
押釦３は、接点台２の押釦収容部４内で前後に配設される押釦復帰用ばね１７によって上方に付勢された状態でその押釦収容部４の内部に上下に摺動自在に差し込まれ、押釦３を押していない状態の第１ポジションから押釦３をイネーブル位置である中間位置に押している状態の第２ポジションを経て押釦３を完全に押している状態の第３ポジションに押込可能に接点台２に組み込まれている。
【００１９】
押釦３における前後方向中間には、上方が閉鎖される一方で左右及び下方に開放された所要の収容スペースを有する往復可動台収容部１８が形成されている。
押釦３の上部には、往復可動台収容部１８の天面から上方に所要奥行寸法で非貫通に掘り込まれたガイド穴１９が形成されている。
押釦３の前部には、上方及び下方が閉鎖される一方で左右に開放された所要の収容スペースを有するばね収容部２０が形成されている。
【００２０】
＜押釦のクリック機構の説明＞
イネーブルスイッチ１には、使用者が押釦３の第１、第２及び第３ポジションの各位置を自覚することができるようにするために、押釦３の押し込みの際にクリック感を付与するクリック機構２１が装備されている。
クリック機構２１は、主に、左右に配されるスチールボール２２、ばね部材（圧縮コイルばね）２３、上側の段差部２４及び下側の段差部２５により構成されている。
【００２１】
左右のスチールボール２２及びばね部材２３は、それぞれ押釦３の後部に左右方向に形成された貫通孔２６内に組み込まれており、ばね部材２３の付勢力で左右のスチールボール２２を、押釦３の第１、第２及び第３ポジションの往復経路に沿う押釦収容部４の内面に押し付けることができるようになっている。
上側の段差部２４は、押釦３が第１ポジションにあるときに左右一対のスチールボール２２と係合するように押釦収容部４の内面に左右に対称に形成され、下側の段差部２５は、押釦３が第２ポジションにあるときに左右一対のスチールボール２２と係合するように押釦収容部４の内面に左右に対称に形成されている。
【００２２】
クリック機構２１においては、押釦３を第１ポジションから第２ポジションへと押し込む際に左右のスチールボール２２が、いわゆる回転摩擦の原理で、上側の段差部２４を乗り越えようとしてクリック感が発生するとともに、押釦３を第２ポジションから第３ポジションへと押し込む際に左右のスチールボール２２が下側の段差部２５を乗り越えようとしてクリック感が発生するようになっている。
【００２３】
＜往復可動台の説明＞
往復可動台収容部１８の内部には、往復可動台３０が上下に摺動自在に組み込まれている。
往復可動台３０は、可動台本体部３０ａと、可動台本体部３０ａの上面に一体的に立設されるガイドロッド部３０ｂとよりなり、ガイドロッド部３０ｂが押釦３のガイド穴１９に差し込まれ、可動台本体部３０ａが往復可動台収容部１８内に納められている。
往復可動台３０は、ガイド穴１９とガイドロッド部３０ｂとによる案内によって、押釦３の押込方向側に臨ませた通常位置とその通常位置から押釦３の押込方向と反対側に所定距離押し上げた非常位置との間でスムーズに往復運動することができる。
可動台本体部３０ａには、上方及び下方が閉鎖される一方で左右に開放された所要の収容スペースを有するばね収容部３１が形成されている。
【００２４】
＜往復可動台を押し上げる突起物の説明＞
図２に示されるように、接点台２における押釦収容部４の底面には、往復可動台３０（可動台本体部３０ａ）と対向するように突起物３２が突設されており、押釦３が第２ポジションから第３ポジションへと押し込まれる際に、往復可動台３０が突起物３２によって通常位置から非常位置に向けて押し上げられるようになっている。
【００２５】
＜移動機構の説明＞
イネーブルスイッチ１には、往復可動台３０を非常位置へと移動させる移動機構３５が装備されている。
移動機構３５は、主に、前後に配されるスチールボール３６（本発明の「当接部材」に相当する。）、ばね部材（圧縮コイルばね）３７及び山部３８により構成されている。
【００２６】
前後のスチールボール３６及びばね部材３７は、それぞれ可動台本体部３０ａの下部に前後方向に形成された貫通孔３９内に組み込まれており、ばね部材３７の付勢力で前後のスチールボール３６を、往復可動台３０の往復経路に沿う往復可動台収容部１８の内面に押し付けることができるようになっている。
山部３８は、往復可動台３０が通常位置から非常位置に向けて押し上げられる際に前後のスチールボール３６が乗り越えるように往復可動台収容部１８の内面に前後に対称に形成されている。
【００２７】
移動機構３５においては、前後のスチールボール３６が山部３８を乗り越える際に、前後のスチールボール３６を介してばね部材３７が圧縮されて該ばね部材３７に蓄勢力が蓄えられるようにし、前後のスチールボール３６が山部３８を乗り越えると、ばね部材３７に蓄えられた蓄勢力を前後のスチールボール３６を介して山部３８の上側の斜面３８ａに作用させて往復可動台３０を非常位置へと跳ね上げるようにし、簡単な構造で往復可動台３０を非常位置へと移動させることができるようにされている。
【００２８】
＜可動接点の説明＞
押釦３の前部には、補助接点用の可動接点台金４０が組み込まれ、往復可動台３０には、主接点用の可動接点台金４１が組み込まれている。
【００２９】
図２及び図１（ｂ）に示されるように、補助接点用の可動接点台金４０は、押釦３のばね収容部２０内を通り抜けた状態で接点台２に配設された前側の左右一対の固定接点１４に跨るように接点台２の第１貫通孔７内に配され、ばね収容部２０内に組み込まれたばね部材（圧縮コイルばね）４２によってばね収容部２０の底面を押し付けるように下向きに付勢されている。
また、主接点用の可動接点台金４１は、可動台本体部３０ａのばね収容部３１内を通り抜けた状態で接点台２に配設された後側の左右一対の固定接点１５に跨るように接点台２の第２貫通孔８内に配され、ばね収容部３１内に組み込まれたばね部材（圧縮コイルばね）４３によってばね収容部３１の底面を押し付けるように下向きに付勢された状態で組み込まれている。
【００３０】
図３に示されるように、補助接点用の可動接点台金４０の両端部には、導電性に優れる金属製の接点リベットよりなる補助接点用の可動接点４４がかしめられて固定され、主接点用の可動接点台金４１の両端部には、同様にして主接点用の可動接点４５が固定されている。
【００３１】
＜スイッチング動作の説明＞
以上に述べたように構成されるイネーブルスイッチ１の押釦３の操作に伴うスイッチング動作について、主に、図４〜図６を用いて以下に説明する。
【００３２】
＜主接点の動作説明＞
図４（ａ）及び（ｄ）に示されるように、押釦３が第１ポジションにあるときには、往復可動台３０は通常位置で待機しており、このとき、可動接点４５と固定接点１５とは離れており、これらの接点１５，４５で構成される主接点５０は開いている。
図４（ｂ）及び（ｅ）に示されるように、押釦３をイネーブル位置である第２ポジションにまで押し込むと、往復可動台３０は通常位置で待機したままの状態で押釦３と共に押し込まれ、往復可動台３０は突起物３２に接触する位置まで下降されるとともに、可動接点４５が固定接点１５に接触して主接点５０が閉じる。
図４（ｃ）及び（ｆ）に示されるように、押釦３を第２ポジションから第３ポジションへと更に押し込むと、突起物３２によって往復可動台３０が通常位置から非常位置に向けて押し上げられる。
このとき、図２に示されるように、前後のスチールボール３６が山部３８を乗り越える際に前後のスチールボール３６を介してばね部材３７が圧縮されて該ばね部材３７に蓄勢力が蓄えられ、前後のスチールボール３６が山部３８を乗り越えると、ばね部材３７に蓄えられた蓄勢力が前後のスチールボール３６を介して山部３８の上側の斜面３８ａに作用して往復可動台３０が非常位置へと跳ね上げられて移動される。
こうして、往復可動台３０が非常位置へと速やかに移動する移動作用により、図４（ｆ）に示されるように、可動接点４５が固定接点１５から瞬時に離れて主接点５０が開く。
【００３３】
図５（ａ）〜（ｃ）に示されるように、押釦３から手を離すと、押釦復帰用ばね１７の作用により、押釦３は、第３ポジションから第２ポジションを経て第１ポジションに自動的に復帰する。
図５（ａ）及び（ｄ）に示されるように、押釦３が第３ポジションから第２ポジションへと復帰する過程において、初期の段階では押釦３と共に往復可動台３０が上昇するが、押釦３が第２ポジションに位置されると、往復可動台３０に配設された可動接点台金４１が接点台２のストッパ部９に衝突して往復可動台３０の上昇動作が止められる。
図５（ｂ）及び（ｅ）に示されるように、押釦３が第２ポジションから第１ポジションへと復帰する過程においては、ストッパ部９によって可動接点台金４１を介して往復可動台３０の上昇動作が止められる一方で押釦３は単体でそのまま上昇を続けるため、押釦３に対し往復可動台３０が相対的に下降されることとなり、往復可動台３０が非常位置から通常位置に向けて移動する。
図５（ｃ）及び（ｆ）に示されるように、押釦３が第１ポジションに完全に復帰すると、往復可動台３０が通常位置に復帰する。
【００３４】
＜補助接点の動作説明＞
図６（ｄ）及び（ｅ）に示されるように、押釦３が第１ポジション及び第２ポジションにあるときには、いずれも可動接点４４と固定接点１４とが離れており、これらの接点１４，４４で構成される補助接点５１は開いている。
図６（ｆ）に示されるように、押釦３が第３ポジションにまで押し込まれると、可動接点４４が固定接点１４に接触して補助接点５１が閉じる。
【００３５】
＜押釦のポジションの識別の説明＞
図４（ｄ）及び図６（ｄ）に示されるように、押釦３が第１ポジションにあるときには、主接点５０及び補助接点５１の両方が開いているので、主接点５０及び補助接点５１のいずれの通電信号も無ければ、押釦３が第１ポジションに位置していると識別することができる。
【００３６】
図４（ｅ）及び図６（ｅ）に示されるように、押釦３が第２ポジションにあるときには、主接点５０が閉じる一方で、補助接点５１が開いたままなので、主接点５０の通電信号がある一方で、補助接点５１の通電信号が無ければ、押釦３が第２ポジションに位置していると識別することができる。
【００３７】
図４（ｆ）及び図６（ｆ）に示されるように、押釦３が第３ポジションにあるときには、主接点５０が開く一方で、補助接点５１が閉じるので、主接点５０の通電信号が無い一方で、補助接点５１の通電信号があれば、押釦３が第３ポジションに位置していると識別することができる。
【００３８】
こうして、押釦３が第３ポジションにあるときに接点が閉じるようにした補助接点５１を備えるものとすることにより、押釦３が３つのポジションのいずれのポジションに位置するかを識別することができる。
【００３９】
なお、図６（ａ）〜（ｂ）に示されるように、押釦３を第１ポジションから第２ポジションへと押し込む際にスチールボール２２が上側の段差部２４を乗り越えようとしてクリック感が発生するので、使用者は、押釦３を第１ポジションから第２ポジションに押し込んだことを認識することができる。
また、図６（ｂ）〜（ｃ）に示されるように、押釦３を第２ポジションから第３ポジションへと押し込む際にスチールボール２２が下側の段差部２５を乗り越えようとしてクリック感が発生するので、使用者は、押釦３を第２ポジションから第３ポジションに押し込んだことを認識することができる。
【００４０】
＜作用効果の説明＞
本実施形態のイネーブルスイッチ１によれば、押釦３を第２ポジションから第３ポジションへと押し込むと、接点台２に突設された突起物３２によって往復可動台３０が通常位置から非常位置に向けて押し上げられるに伴い移動機構３５の作動で往復可動台３０が非常位置へと移動されて可動接点４５が固定接点１５から瞬時に引き離されるので、押釦３をイネーブル位置（第２ポジション）から更に押し込んだ瞬間に、より速やかに通電状態を解除することができる。
【００４１】
イネーブルスイッチ１は、往復可動台３０等を押釦３に組み込み、該押釦３を接点台２に組み込む構成の採用によってコンパクトにユニット化されているので、様々な種類のペンダントスイッチに容易に組み付けることができる。
例えば、図７に示されるようなペンダントスイッチ６０において、他のスイッチ６１と取付構造を共通化することにより、ペンダントスイッチ６０の一番上にイネーブルスイッチ１を装着するようにしたり、図８に示されるように、イネーブルスイッチ１を一番下に装着するようにしたりする等、使い勝手に応じた自由なレイアウトが可能となる。
【００４２】
以上、本発明のイネーブルスイッチについて、一実施形態に基づいて説明したが、本発明は上記実施形態に記載した構成に限定されるものではなく、その趣旨を逸脱しない範囲において適宜その構成を変更することができるものである。
【産業上の利用可能性】
【００４３】
本発明のイネーブルスイッチは、押釦をイネーブル位置から更に押し込んだ瞬間に、より速やかに通電状態を解除することができるという特性を有していることから、クレーンやロボットをはじめとする様々な３ポジションのイネーブルスイッチの用途に好適に用いることができる。
【符号の説明】
【００４４】
１  イネーブルスイッチ
２  接点台
３  押釦
１４  固定接点（補助接点用）
１５  固定接点（主接点用）
３０  往復可動台
３２  突起物
３５  移動機構
３６  スチールボール（当接部材）
３７  ばね部材
３８  山部
４４  可動接点（補助接点用）
４５  可動接点（主接点用）
５０  主接点
５１  補助接点
【図１】
0006437254.tif 000002
【図２】
0006437254.tif 000003
【図３】
0006437254.tif 000004
【図４】
0006437254.tif 000005
【図５】
0006437254.tif 000006
【図６】
0006437254.tif 000007
【図７】
0006437254.tif 000008
【図８】
0006437254.tif 000009